(57)【要約】【課題】チケットを発券するときに正規の用紙ではない用紙を使用してチケットを発券するような不正行為を防止すること。【解決手段】チケットの個々を識別するための管理情報をチケット単位で記憶するチケット管理情報記憶手段と、外部のチケットプリンタから送信されたチケット単位に印刷された管理情報を入力する入力部と、前記入力部から入力された前記管理情報と前記チケット管理情報記憶手段に記憶された管理情報とから、当該チケットが正規に発券されたか否かを判断する判断手段と、前記判断手段がチケットが正規に発券されていないことを判断した場合、チケットが正規に発券されていないことを報知する報知手段と、を備える。【選択図】図９
2013250660.tif 000002
【特許請求の範囲】
【請求項１】
チケットの個々を識別するための管理情報をチケット単位で記憶するチケット管理情報記憶手段と、
外部のチケットプリンタから送信されたチケット単位に印刷された管理情報を入力する入力部と、
前記入力部から入力された前記管理情報と前記チケット管理情報記憶手段に記憶された管理情報とから、当該チケットが正規に発券されたか否かを判断する判断手段と、
前記判断手段がチケットが正規に発券されていないことを判断した場合、チケットが正規に発券されていないことを報知する報知手段と、
を備えた情報処理装置。
【請求項２】
チケットを個々に識別する管理情報が予め印刷されたチケット用紙を保持する保持部と、
前記保持部に保持されたチケット用紙を搬送させる搬送部と、
前記搬送部によって搬送されたチケット用紙にチケットの発券内容を印字する印字部と、
前記搬送部を制御し前記保持部に保持されたチケット用紙を前記印字部に向けて搬送する搬送手段と、
情報を読み取るセンサと、
前記搬送手段によって搬送されているチケット用紙から前記管理情報を前記センサで読み取る読み取り手段と、
前記読み取り手段で読み取った前記管理情報を外部装置に出力する出力手段と、
を備えたチケットプリンタ。
【請求項３】
前記出力手段は、前記管理情報とともに前記印字部で印字された発券内容を外部に出力することを特徴とする請求項２に記載のチケットプリンタ。
【請求項４】
請求項１の情報処理装置と請求項２または３のチケットプリンタとを備え、
前記情報処理装置はさらに、
前記入力部から入力された前記管理情報が前記チケット管理情報記憶手段に記憶されている管理情報に含まれているか否かを判断する比較判断手段と、
を備え、
前記比較判断手段により前記入力部から入力された前記管理情報が前記チケット管理情報記憶手段に記憶されている管理情報に含まれていないことが判断された場合前記判断手段が当該チケットが正規に発券されていないことを判断する、
ことを特徴とした情報処理システム。
【請求項５】
店舗情報を記憶し商品の販売データを処理する商品販売データ処理装置をさらに備え、
前記チケットプリンタから出力される管理情報は前記商品販売データ処理装置を経由して前記店舗情報とともに前記入力部に入力されることを特徴とする請求項４に記載の情報処理システム。
【請求項６】
外部のチケットプリンタから送信されチケット単位に印刷された管理情報を入力する入力部を備えたコンピュータに、
チケットの個々を識別するための管理情報をチケット単位で記憶するチケット管理情報記憶手段と、
前記入力部から入力された前記管理情報と前記チケット管理情報記憶手段に記憶された管理情報とから、当該チケットが正規に発券されたか否かを判断する判断手段と、
前記判断手段がチケットが正規に発券されていないことを判断した場合、チケットが正規に発券されていないことを報知する報知手段と、
を機能させるプログラム。
【発明の詳細な説明】
【技術分野】
【０００１】
本発明の実施の形態は、情報処理装置、チケットプリンタ、情報処理システムおよびプログラムに関する。
【背景技術】
【０００２】
近年、コンビニエンスストアを中心に、コンサートや映画のチケットを販売するサービスが提供されている。これは、チケットの販売会社とコンビニエンスストアとが提携し、チケットの販売会社とコンビニエンスストアとを例えばインターネット等のネットワークで結び、ＰＯＳ（Point  Of  Sales：販売時点管理）端末や別途設置されたチケット販売装置等からチケットを注文後、代金の支払いを条件として、ＰＯＳ端末に接続されているチケットプリンタからチケットを発券するというサービスである。チケットプリンタによるチケットの発券は、例えばロール状に巻回されたチケット用紙を引き出してプリンタにてチケットの内容を印字して発券するものである。
【発明の概要】
【発明が解決しようとする課題】
【０００３】
しかしながら、チケットはチケットの販売会社やチケットの発券会社が支給する正規の用紙にチケットの内容を印字して発券しなければならないが、チケットを発券するための正規の用紙ではない用紙を使用してチケットを発券するような不正を行うことが可能になっている。
【課題を解決するための手段】
【０００４】
実施の形態の情報処理装置は、チケットの個々を識別するための管理情報をチケット単位で記憶するチケット管理情報記憶手段と、外部のチケットプリンタから送信されたチケット単位に印刷された管理情報を入力する入力部と、前記入力部から入力された前記管理情報と前記チケット管理情報記憶手段に記憶された管理情報とから、当該チケットが正規に発券されたか否かを判断する判断手段と、前記判断手段がチケットが正規に発券されていないことを判断した場合、チケットが正規に発券されていないことを報知する報知手段と、を備える。
【０００５】
実施の形態のチケットプリンタは、チケットを個々に識別する管理情報が予め印刷されたチケット用紙を保持する保持部と、前記保持部に保持されたチケット用紙を搬送させる搬送部と、前記搬送部によって搬送されたチケット用紙にチケットの発券内容を印字する印字部と、前記搬送部を制御し前記保持部に保持されたチケット用紙を前記印字部に向けて搬送する搬送手段と、情報を読み取るセンサと、前記搬送手段によって搬送されているチケット用紙から前記管理情報を前記センサで読み取る読み取り手段と、前記読み取り手段で読み取った前記管理情報を外部装置に出力する出力手段と、を備える。
【０００６】
実施の形態の情報処理システムは、チケットの個々を識別するための管理情報をチケット単位で記憶するチケット管理情報記憶手段と、外部のチケットプリンタから送信されたチケット単位に印刷された管理情報を入力する入力部と、前記入力部から入力された前記管理情報と前記チケット管理情報記憶手段に記憶された管理情報とから、当該チケットが正規に発券されたか否かを判断する判断手段と、前記判断手段がチケットが正規に発券されていないことを判断した場合、チケットが正規に発券されていないことを報知する報知手段と、前記入力部から入力された前記管理情報が前記チケット管理情報記憶手段に記憶されている管理情報に含まれているか否かを判断する比較判断手段と、を備え、前記比較判断手段により前記入力部から入力された前記管理情報が前記チケット管理情報記憶手段に記憶されている管理情報に含まれていないことが判断された場合、前記判断手段が当該チケットが正規に発券されていないことを判断する。
【０００７】
実施の形態のプログラムは、外部のチケットプリンタから送信されチケット単位に印刷された管理情報を入力する入力部を備えたコンピュータに、チケットの個々を識別するための管理情報をチケット単位で記憶するチケット管理情報記憶手段と、前記入力部から入力された前記管理情報と前記チケット管理情報記憶手段に記憶された管理情報とから、当該チケットが正規に発券されたか否かを判断する判断手段と、前記判断手段がチケットが正規に発券されていないことを判断した場合、チケットが正規に発券されていないことを報知する報知手段と、を機能させる。
【図面の簡単な説明】
【０００８】
【図１】図１は、本実施の形態のシステム全体を示す図である。
【図２】図２は、ＰＯＳ端末のブロック図である。
【図３】図３は、チケットプリンタのブロック図である。
【図４−１】図４−１は、発券されたチケットの表面を表す説明図である。
【図４−２】図４−２は、発券されたチケットの裏面を表す説明図である。
【図５】図５は、ホストコンピュータのブロック図である。
【図６】図６は、ホストコンピュータのメモリマップである。
【図７】図７は、チケットプリンタの機能構成を示す機能ブロック図である。
【図８】図８は、ホストコンピュータの機能構成を示す機能ブロック図である。
【図９】図９は、本実施の形態の流れを示すフローチャートである。
【発明を実施するための形態】
【０００９】
以下、添付図面を参照して、実施の形態に係る情報処理装置、チケットプリンタ、情報処理システムおよびプログラムを詳細に説明する。なお、以下に説明する実施の形態によりこの発明が限定されるものではない。
【００１０】
図１は、販売システム１全体を示す図である。図１において、複数の店舗システム２と本部システム３とはネットワーク４で接続されている。
【００１１】
本部に設けられる本部システム３は、ホストコンピュータ１１を備えている。店舗（図１においては、店舗Ａおよび店舗Ｂ）に設けられている店舗システム２には、商品マスタを記憶し、また店の売上データを管理するストアコンピュータ１２が設けられている。このストアコンピュータ１２には無線基地局１３を介して無線ＬＡＮ（Local  Area  Network）回線で複数台のＰＯＳ端末１４が接続されている。
【００１２】
このＰＯＳ端末１４は、顧客に対して販売した店内の商品の販売データを処理する装置であり、後述するバーコードリーダ２８で商品に付されたバーコードを読み取り、読み取ったバーコードに基づいて商品の販売データを作成するものである。作成した販売データは、ストアコンピュータ１２に送信する。ストアコンピュータ１２は、各ＰＯＳ端末１４から送信された販売データに基づき、店舗全体の売上データを作成して管理する。
【００１３】
また店舗システム２には、各種のチケットを発券するためのチケットプリンタ１５が設けられている。このチケットプリンタ１５は前記無線基地局１３を介して無線ＬＡＮ回線で店舗内の各ＰＯＳ端末１４と接続されている。
【００１４】
このチケットプリンタ１５は本実施の形態では各店舗に１台設けられており、各ＰＯＳ端末１４からチケット発券の指示が送信されると、チケットプリンタ１５はＰＯＳ端末１４から送信されたデータに基づいてチケットを発券する。
【００１５】
次に、図２を用いてＰＯＳ端末１４のハードウェアの電気的接続を示すブロック図を説明する。図２に示すように、ＰＯＳ端末１４は、制御主体となるＣＰＵ（Central  Processing  Unit）２１、各種プログラムを記憶するＲＯＭ（Read  Only  Memory）２２、各種データを展開するＲＡＭ（Random  Access  Memory）２３、各種プログラムを記憶するＨＤＤ等のメモリ部２４、タイマー３５等を備えている。ＣＰＵ２１、ＲＯＭ２２、ＲＡＭ２３、メモリ部２４、タイマー３５は、互いにデータバス３４を介して接続されている。ＣＰＵ２１とＲＯＭ２２とＲＡＭ２３とが、制御部２００を構成する。すなわち、制御部２００は、ＣＰＵ２１がＲＯＭ２２やメモリ部２４に記憶されたプログラムに従って動作することによって、後述する制御処理を実行する。なお、ＲＯＭ２２には当該ＰＯＳ端末１４が設置されている店舗の店舗番号が記憶されている。
【００１６】
また、ＰＯＳ端末１４は、客用表示器２５、店員用表示器２６、キーボード２７、バーコードリーダ２８を備えている。客用表示器２５は、表示コントローラ２９を介してデータバス３４に接続されている。店員用表示器２６は、表示コントローラ３０を介してデータバス３４に接続されている。キーボード２７は、例えば「１０歳代」「２０歳代」「３０歳代」「４０歳代」「５０歳代」「６０歳以上」といった複数の客層キー３６を備えており、キーボードコントローラ３１を介してデータバス３４に接続されている。バーコードリーダ２８は、バーコードリーダコントローラ３２を介してデータバス３４に接続されている。また、データバス３４には、無線基地局１３との間で無線ＬＡＮ回線を利用したデータの送受信を司る無線部３３が接続されている。
【００１７】
次に、図３を用いてチケットプリンタ１５のハードウェアの電気的接続を示すブロック図を説明する。チケットプリンタ１５は、ＰＯＳ端末１４から送信されたチケット情報をチケット用紙に印字するプリンタである。
【００１８】
図３に示すように、チケットプリンタ１５は、制御主体となるＣＰＵ（Central  Processing  Unit）４１、各種プログラムを記憶するＲＯＭ（Read  Only  Memory）４２、各種データを展開するＲＡＭ（Random  Access  Memory）４３、各種プログラムを記憶するフラッシュメモリ等のメモリ部４４等を備えている。ＣＰＵ４１、ＲＯＭ４２、ＲＡＭ４３、メモリ部４４は、互いにデータバス５４を介して接続されている。ＣＰＵ４１とＲＯＭ４２とＲＡＭ４３とが、制御部４００を構成する。すなわち、制御部４００は、ＣＰＵ４１がＲＯＭ４２やメモリ部４４に記憶されたプログラムに従って動作することによって、後述する制御処理を実行する。
【００１９】
また、チケットプリンタ１５は、表示器４５、チケットを搬送する搬送部４６、例えばサーマルヘッドとプラテンとで構成され、チケットにチケット情報を印字する印字部４７、チケットの管理番号を光学的に読み取るセンサ４８を備えている。表示器４５は、表示コントローラ４９を介してデータバス５４に接続されている。搬送部４６は、搬送コントローラ５０を介してデータバス５４に接続されている。印字部４７は、印字コントローラ５１を介してデータバス５４に接続されている。センサ４８は、例えば印字部４７に対して、チケットが搬送される搬送路に沿ってチケットの搬送方向の直後の位置に設けられており、センサコントローラ５２を介してデータバス５４に接続されている。また、データバス５４には、無線基地局１３との間で無線ＬＡＮ回線を利用したデータの送受信を司る無線部５３が接続されている。
【００２０】
チケットプリンタ１５は、ロール状に巻回されたチケット用紙を図示しない保持部に保持し、チケット用紙の最外端部を引き出して印字部４７に向けて搬送する。そして印字部４７は、ＰＯＳ端末１４から送信されてきたチケット情報をチケット用紙の表面に印字する。印字したチケットは図示しないカッターで所定の位置で切断されて１枚のチケット１００として発券される。
【００２１】
図４は、発券されたチケット１００を表すものである。図４−１は発券されたチケット１００の表面であり、チケットの本券１０１と半券１０２とで構成される。本券１０１には例えばチケットの内容、日時、場所等が印字され、半券１０２には例えば着席する席番号等が印字される。
【００２２】
図４−２はチケット１００の裏面であり、本券１０１には種々の注意事項が記載されている。そして本実施の形態では、チケット１００の裏面に、一例として複数個の白色と黒色の四角模様が整列してｍ行ｎ列に配列され、白色と黒色のいろいろな組み合わせによって複数種類の異なった文字や数字等の意味が生じる体系のコード（２次元コードの一種）で構成された管理番号１０３が予め印刷されている。この管理番号１０３は発券されるチケット１００毎にすべて異なる番号とされている。また半券１０２にも本券１０１と同様のコードによる管理番号１０４が予め印刷されている。半券１０２にも管理番号１０４が予め印刷されている。この管理番号１０４は管理番号１０３の一部であり、以降管理番号１０３に含めて説明をする。
【００２３】
チケットプリンタ１５は、チケット用紙を搬送しながら、印字部４７によって表面には図４−１に示す事項を印字し、印字部４７の上記直後に設けられたセンサ４８により図４−２に示すように、チケット１００の裏面に印刷された管理番号１０３を読み取る。なお、符号Ｍは、印字部４７に対するチケット１００の位置決めを行うための位置決めマークである。この位置決めマークＭは、図４−２に示すように、チケット搬送方向に対して直交する方向に延びた矩形状であって黒く塗り潰されたマークである。そして、位置決めマークＭは、管理番号１０３および管理番号１０４が印刷された位置、すなわちセンサ４８による読み取りができない位置に予め印刷されている。
【００２４】
次に、図５を用いてホストコンピュータ１１のハードウェアの電気的接続を示すブロック図を説明する。ホストコンピュータ１１は、ＰＯＳ端末１４から送信された管理番号１０３を店舗毎に管理するように制御される。
【００２５】
図５に示すように、ホストコンピュータ１１は、制御主体となるＣＰＵ（Central  Processing  Unit）６１、各種プログラムを記憶するＲＯＭ（Read  Only  Memory）６２、各種データを展開するＲＡＭ（Random  Access  Memory）６３、各種プログラムを記憶するＨＤＤ等のメモリ部６４等を備えている。ＣＰＵ６１、ＲＯＭ６２、ＲＡＭ６３、メモリ部６４は、互いにデータバス６８を介して接続されている。ＣＰＵ６１とＲＯＭ６２とＲＡＭ６３とが、制御部６００を構成する。すなわち、制御部６００は、ＣＰＵ６１がＲＯＭ６２やメモリ部６４に記憶されたプログラムに従って動作することによって、後述する制御処理を実行する。また、ホストコンピュータ１１は、表示器６５、を備えている。表示器６５は、表示コントローラ６６を介してデータバス３４に接続されている。さらに、ネットワーク４と接続するネットワークコントローラ６７がデータバス３４に接続されている。
【００２６】
図６は、ホストコンピュータ１１のＲＡＭ６３のメモリマップを示す模式図である。図６に示すように、ＲＯＭ６３あるいはメモリ部６４のデータが展開され、チケットプリンタ１５で発券されるチケット１００の裏面に印刷されている管理番号１０３を店舗毎にすべて記憶している店舗番号管理エリア７０と、ＰＯＳ端末１４のキーボード２７に設けられた客層キー３６毎に、チケットプリンタ１５で発券されたチケット１００の種類や発券した日付を記憶しているチケット管理エリア７１が設けられている。本実施の形態では、管理番号１番から１００番までが店舗１の管理番号であり、管理番号１０１番から２００番までが店舗２の管理番号であるとして、店舗番号管理エリア７０に記憶されている。
【００２７】
図７はチケットプリンタ１５の機能構成を示す機能ブロック図を示すものである。図７において、制御部４００がＲＯＭ４２やメモリ部４４に記憶された各種プログラムに従うことで、搬送手段４０１、読み取り手段４０２、出力手段４０３、チケット発券手段４０４を機能させる。
【００２８】
搬送手段４０１は、保持部に保持されたチケット用紙を搬送させる機能を備えている。読み取り手段４０２は、搬送手段４０１によって搬送されているチケット用紙に印刷されたチケット１００を個々に識別する管理番号１０３をセンサ４８で読み取る機能を備えている。出力手段４０３は、読み取り手段４０２で読み取った前記管理番号１０３を外部装置に出力する機能を備えている。チケット発券手段４０４は、搬送手段４０１によって搬送されているチケット用紙にチケット１００の発券内容を印字して発券する機能を備えている。
【００２９】
図８はホストコンピュータ１１の機能構成を示す機能ブロック図を示すものである。図８において、制御部６００がＲＯＭ６２やメモリ部６４に記憶された各種プログラムに従うことで、チケット管理情報記憶手段６０１、判断手段６０２、出力手段６０３、比較判断手段６０４を機能させる。
【００３０】
チケット管理情報記憶手段６０１は、チケット１００の券単位に予め印刷されチケット１００の個々を識別するための管理番号１０３をチケット単位で記憶する機能を備えている。判断手段６０２は、チケットプリンタ１５から入力された管理番号１０３と前記チケット管理情報記憶手段６０１に記憶された管理番号とから、当該チケット１００が正規に発券されたか否かを判断する機能を備えている。出力手段６０３は、判断手段６０２がチケット１００が正規に発券されていないことを判断した場合、チケット１００が正規に発券されていないことを示す情報を出力する機能を備えている。比較判断手段６０４は、チケットプリンタ１５から入力された管理番号１０３と前記チケット管理情報記憶手段６０１に記憶されている管理番号とを比較し、チケットプリンタ１５から入力された管理番号１０３がチケット管理情報記憶手段６０１に記憶されている管理番号に含まれているか否かを判断する機能を備えている。
【００３１】
次に、図９を用いて、チケットプリンタ１５、ＰＯＳ端末１４、およびホストコンピュータ１１における制御処理の概要について説明する。ＰＯＳ端末１４の制御部２００とチケットプリンタ１５の制御部４００とホストコンピュータ１１の制御部６００が以下の制御を実行する。
【００３２】
図９において、ＰＯＳ端末１４の制御部２００は、図示しないチケット発券キーが操作されたかを判断し（ＳＰ１１）、チケット発券キーが操作されたと判断した場合（ＳＰ１１のＹｅｓ）には、客用表示器２５に例えばジャンル別に複数のチケットの販売商品情報を選択画面として表示する（ＳＰ１２）。顧客は客用表示器２５に表示された表示を見て、自ら画面を操作しながら希望するチケットを探し出す。希望するチケットが見つかった場合は、顧客はそのチケットを指定する選択キーを操作する。制御部２００は、チケットが選択されたかを待機しているが（ＳＰ１３のＮｏ）、選択されたと判断した場合は（ＳＰ１３のＹｅｓ）、次に選択したチケットの精算処理を実行するが、このときに店員は、上述の客層キー３６のいずれかのキーを操作して締め処理を行う（ＳＰ１４）。いずれかの客層キーが操作されて締め処理が実行されたら（ＳＰ１４のＹｅｓ）、制御部２００は選択されたチケットの発券データを無線部３３を介してチケットプリンタ１５に送信する（ＳＰ１５）。なお、チケット発券キーが操作さていないと判断した場合は処理を終了し（ＳＰ１１のＮｏ）、締め処理が実行されるまで待機する（ＳＰ１４のＮｏ）。
【００３３】
送信されたチケットの発券データは、無線基地局１３を経由してチケットプリンタ１５の無線部５３が受信する。
【００３４】
チケットプリンタ１５の制御部４００は、ＰＯＳ端末１４からチケットの発券データを受信したかを判断し（ＳＰ２１）、受信したと判断した場合は（ＳＰ２１のＹｅｓ）、制御部４００は搬送手段４０１を機能させて搬送部４６を駆動制御し、保持部に保持されたチケット用紙を印字部４７に向けて搬送路を搬送させる（ＳＰ２２）。そして制御部４００はチケット発券手段４０４を機能させ、無線部５３が受信したチケット発券データを基に印字部４７を制御して、チケット用紙の表面側に図４−１で示すチケット情報の印字を行う（ＳＰ２３）。ほぼ同時に制御部４００は読み取り手段４０２を機能させ、チケット１００の裏面に印刷されているコード化された管理番号１０３をセンサ４８を制御して読み取る（ＳＰ２４）。次に制御部４００は、出力手段４０３を機能させて、読み取った管理番号１０３を無線部５３からＰＯＳ端末１４に送信する（ＳＰ２５）。なお、ＰＯＳ端末１４からチケット発券データを受信しない場合は（ＳＰ２１のＮｏ）、そのまま終了する。
【００３５】
ＰＯＳ端末１４の制御部２００は、チケットプリンタ１５から管理番号１０３を受信したかを判断し（ＳＰ１６）、受信するまで待機している（ＳＰ１６のＮｏ）。そして制御部２００は、管理番号１０３を受信したと判断した場合（ＳＰ１６のＹｅｓ）、その管理番号１０３に加え、ＲＡＭ２３に記憶されている店舗番号、当該顧客が選択したチケット情報とタイマー３５が計時している販売日情報を付して無線部３３からストアコンピュータ１２を経由してホストコンピュータ１１に送信する（ＳＰ１７）。
【００３６】
ホストコンピュータ１１の制御部６００は、ネットワークコントローラ６７を介して管理番号１０３とチケット情報と販売日情報と店舗番号が受信されたかを判断し（ＳＰ３１）、受信されるまでは待機し（ＳＰ３１のＮｏ）、受信されたと判断した場合（ＳＰ３１のＹｅｓ）、次に制御部６００は、店舗番号管理エリア７０の受信した店舗番号と同一の店舗番号に対応させて記憶している複数の管理番号に、受信した管理番号１０３が含まれているかを判断する（ＳＰ３２）。
【００３７】
本実施の形態では、上述のように管理番号１番から１００番までは店舗１に対応させて記憶している管理番号、管理番号１０１番から２００番までは店舗２に対応させて記憶している管理番号としてチケット管理エリア７１に記憶されているので、制御部６００は、このチケット管理エリア７１に記憶されている店舗番号に対する管理番号と、ＰＯＳ端末１４から送付された店舗番号に対する管理番号１０３とを対比させ、ＰＯＳ端末１４から送付された店舗番号に対する管理番号がチケット管理エリア７１に記憶されている当該店舗番号に対応して記憶されている管理番号に含まれているか否かを判断する。例えばＰＯＳ端末１４から送付された店舗番号が「１」で、管理番号が「１０」である場合、制御部６００はＰＯＳ端末１４から送付された管理番号はチケット管理エリア７１に記憶されている管理番号に含まれていると判断する。このように制御部６００が、記憶している管理番号に受信した管理番号が含まれていると判断した場合（ＳＰ３２のＹｅｓ）は、客層毎に購入したチケットの種類や購入日をチケット管理エリア７１に記憶する（ＳＰ３３）。
【００３８】
また、例えばＰＯＳ端末１４から送付された店舗番号が「１」で、管理番号が「１１０」である場合、ＰＯＳ端末１４から送付された管理番号はチケット管理エリア７１に記憶されている管理番号に含まれていないと判断する。このように制御部６００が、記憶している管理番号に受信した管理番号が含まれていないと判断した場合（ＳＰ３２のＮｏ）、制御部６００は、表示コントローラ６６を介して表示器６５に、受信した店舗で発券されたチケット１００から読み取られた管理番号１０３は、その店舗で発券されるチケット用の管理番号ではないという情報、またチケットを発券する際に何らかの不正が行われた可能性があるという情報メッセージを表示器６５に表示（報知）する（ＳＰ３４）。
【００３９】
このような本実施の形態のホストコンピュータ１１は、チケット単位に印刷されチケットの個々を識別するための管理番号１０３をチケット単位で記憶させ、チケットプリンタ１５から入力された前記管理番号１０３とチケット管理情報記憶手段６０１に記憶された管理番号とから、当該チケット１００が正規に発券されたか否かを判断し、チケット１００が正規に発券されていないことを判断した場合、チケット１００が正規に発券されていないことを示す情報を出力するようにしたため、チケット１００が適正に発券されているか否かの判断ができる。したがって、正規に発券されていないと判断されるときは正規に発券されていないことを報知することができる。
【００４０】
また本実施の形態のチケットプリンタ１５では、保持されたチケット用紙を搬送させ、搬送されているチケット用紙に印刷されたチケット１００を個々に識別する管理番号をセンサ４８で読み取り、読み取った管理番号をＰＯＳ端末１４に出力し、前記搬送されているチケット用紙にチケット１００の発券内容を印字して発券するようにしたので、チケット発券の際に管理番号１０３を読み取って外部装置に出力することができる。
【００４１】
また本実施の形態のチケットプリンタ１５では、管理番号１０３とともにチケット情報を外部に出力するので、管理番号１０３とともにチケット情報を管理することができる。
【００４２】
また本実施の形態の情報処理システムでは、チケットプリンタ１５から入力された管理番号１０３がチケット管理エリア７１に記憶されている管理番号に含まれているかを判断し、含まれていないと判断された場合は正規に発券されていないと判断されるため、不正な発券であることを判断することができる。
【００４３】
また本実施の形態の情報処理システムでは、チケットプリンタ１５から出力される管理番号をＰＯＳ端末１４を経由させ、店舗番号とともにホストコンピュータ１１に送信するため、ホストコンピュータ１１では店舗番号毎に管理番号の適正を判断することができる。
【００４４】
なお、本実施の形態は、例として提示したものであり、発明の範囲を限定することは意図していない。この新規な実施の形態は、その他の様々な形態で実施されることが可能であり、発明の要旨を逸脱しない範囲で、種々の省略、置き換え、変更を行うことができる。この実施の形態やその変形は、発明の範囲や要旨に含まれるとともに、特許請求の範囲に記載された発明とその均等の範囲に含まれる。
【００４５】
例えば本実施の形態では、管理番号１０３を番号としたが、数字である必要はなく例えばアルファベットのような記号でも良い。
【００４６】
また本実施の形態では、管理番号１０３をｍ行ｎ列の白黒の四角の集合によるコードとして印刷したが、バーコードや２次元コード等であっても良い。また、コード化されていなくてもよく、数字や記号を文字認識技術を使用した装置で読み取っても良い。
【００４７】
また本実施の形態では、保持部に保持されるチケット用紙をロール状の用紙としたが、ミシン目で折りたたまれて接続されているファンフォールド紙や、すでに切断されているチケット用紙を積層したものでも良い。
【００４８】
また、本実施の形態では、店舗番号をＰＯＳ端末１４のＲＡＭ２３に記憶させて、ＰＯＳ端末１４からストアコンピュータ１２に送信するときに付加したが、店舗番号をストアコンピュータ１２に記憶させておき、ストアコンピュータ１２からホストコンピュータ１１に送信するときに付加しても良い。
【００４９】
また、本実施の形態では、顧客が客用表示器２５を操作してチケット１００を選択するようにしたが、ＰＯＳ端末１４と別途用意されたチケット選択装置とを接続し、チケット選択装置で希望するチケット１００を選択するようにしても良い。
【００５０】
また、本実施の形態では、センサ４８を光学式センサとして説明したが、コードを読み取れるセンサであれば種類は問わない。また管理番号がコードではなく文字で印刷されている場合は、ＣＣＤ等で文字を読み取り、周知の文字認識技術を使用して文字データとして認識を行うようにしても良い。
【００５１】
また、本実施の形態では、センサ４８の設置位置を、搬送路を挟んで印字部４７と反対側で印字部４７とほぼ対向した位置としたが、印字部４７と対向した位置に設ける必要はなく、印字部４７の前方でも後方でも良い。センサ４８の設置位置を印字部４７よりチケット用紙の搬送方向上流側にした場合、不正なチケットであると判断された場合にそのチケット１００を発券しないように制御することも可能である。
【００５２】
また、本実施の形態では、チケット１００の裏面に管理番号を印刷したが、チケット１００の表面に印刷しても良い。この場合、センサ４８も表面側に設置される。
【００５３】
なお、本実施の形態の情報処理装置、チケットプリンタ、情報処理システムで実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００５４】
また、本実施の形態の情報処理装置、チケットプリンタ、情報処理システムで実行されるプログラムを、インターネット等のネットワークに接続されたコンピュータ上に格納し、ネットワーク経由でダウンロードさせることにより提供するように構成しても良い。また、本実施形態の情報処理装置、チケットプリンタ、情報処理システムで実行されるプログラムをインターネット等のネットワーク経由で提供または配布するように構成しても良い。
【００５５】
また、本実施の形態の情報処理装置、チケットプリンタ、情報処理システムで実行されるプログラムを、ＲＯＭ４２等に予め組み込んで提供するように構成してもよい。
【符号の説明】
【００５６】
４０１  搬送手段
４０２  読み取り手段
４０３  出力手段
４０４  チケット発券手段
６０１  チケット管理情報記憶手段
６０２  判断手段
６０３  出力手段
６０４  比較判断手段
【先行技術文献】
【特許文献】
【００５７】
【特許文献１】特開２００６−１１５９０号公報
【図１】
2013250660.tif 000003
【図２】
2013250660.tif 000004
【図３】
2013250660.tif 000005
【図４−１】
2013250660.tif 000006
【図４−２】
2013250660.tif 000007
【図５】
2013250660.tif 000008
【図６】
2013250660.tif 000009
【図７】
2013250660.tif 000010
【図８】
2013250660.tif 000011
【図９】
2013250660.tif 000012